(57)【要約】【課題】データを受信する側が、複数のユーザや端末があっても、送信側が容易に的確なユーザ及び端末に所定のデータを送信する。【解決手段】ユーザＩＤに対応付けられたユーザアイコンを送信側端末に表示するために出力するユーザアイコン出力モジュール１３３と、  送信者がデータを送信するために、前記ユーザアイコンに対して、所定のデータを対応付けたことに応じて、当該指定を受けたユーザアイコンのユーザＩＤに対応する端末に、送信者が指定した所定のデータを送信するデータ送信モジュール１３６と、を備えるデータ送信装置１００。【選択図】図２
2016213751.tif 000002
【特許請求の範囲】
【請求項１】
ユーザＩＤに対応付けられたユーザアイコンを送信側端末に表示するために出力するユーザアイコン出力手段と、
送信者がデータを送信するために、前記ユーザアイコンに対して、所定のデータを対応付けたことに応じて、当該指定を受けたユーザアイコンのユーザＩＤに対応する端末に、送信者が指定した所定のデータを送信するデータ送信手段と、を備えるデータ送信装置。
【請求項２】
ユーザが所有する端末に関する端末データ及び端末固有のアドレスを、ユーザＩＤと対応付けて記憶する端末データ記憶手段と、
記憶された端末データに基づいて、当該端末データが示す端末アイコンを、前記ユーザアイコンと対応付けて表示するために出力する端末アイコン出力部と、
送信者が所定のデータを送信するために、前記ユーザアイコン及び前記端末アイコンに対して、指定を受け付けたことに応じて、当該指定を受け付けた端末アイコンに対応する端末に、送信者が指定した所定のデータを前記アドレスに基づいて送信するデータ送信手段と、を備える請求項１に記載のデータ送信装置。
【請求項３】
前記データ送信装置から受信するデータを、どの受信側ユーザ端末で受信するかの設定を受け付け、記憶する受信データ設定受付手段と、
前記データ送信手段が、所定のデータを送信する際に、予め記憶された受信側ユーザ端末に所定のデータを送信する請求項１に記載のデータ送信装置。
【請求項４】
ユーザＩＤに対応付けられたユーザアイコンを送信側端末に表示するために出力するステップと、
送信者がデータを送信するために、前記ユーザアイコンに対して、所定のデータを対応付けたことに応じて、当該指定を受けたユーザアイコンのユーザＩＤに対応する端末に、送信者が指定した所定のデータを送信するステップと、を備えるデータ送信方法。
【請求項５】
コンピュータに、
ユーザＩＤに対応付けられたユーザアイコンを送信側端末に表示するために出力するステップ、
送信者がデータを送信するために、前記ユーザアイコンに対して、所定のデータを対応付けたことに応じて、当該指定を受けたユーザアイコンのユーザＩＤに対応する端末に、送信者が指定した所定のデータを送信するステップ、を実行させるためのプログラム。
【発明の詳細な説明】
【技術分野】
【０００１】
本発明は、ユーザが所有する端末、例えば、ウェアラブル端末にデータを送信するデータ送信装置、データ送信方法及び、データ送信装置用プログラムに関する。
【背景技術】
【０００２】
近年、スマートフォン、タブレット端末に加えて、ウェアラブル端末の出現により、端末数及び、端末を保持するユーザが増加している。そのため、容易にこれらの端末間でデータを送信できることが望ましい。
【０００３】
例えば、特許文献１は、タッチ操作によりユーザが所有する機器のデータ送信を容易にしたデータ送信操作機器が開示されている。これにより、家庭内などに接続された機器の間のデータ送信がドラッグ操作で直感的に行うことが可能となる。
【先行技術文献】
【特許文献】
【０００４】
【特許文献１】特開２０１３−２０５９４５号公報
【発明の概要】
【発明が解決しようとする課題】
【０００５】
しかしながら、特許文献１では、データを送信するユーザを指定することはできず、さらに、そのユーザが指定する機器までをも指定することはできない。近年、スマートフォン、タブレット端末に加えて、ウェアラブル端末の出現により、端末を保持するユーザが増加している。そのため、容易に所望するデータを送信するユーザを特定できることが望ましい。
【０００６】
また、ユーザ一人あたりの端末保持数が増加している。そのため、ユーザにデータを送信する際に、どの端末にデータを送信すればよいかを、送信側が判断しなければならない。したがって、データを送信する側が容易に送信するユーザと端末を指定してデータを的確に送信できることが望まれている。
【０００７】
そこで、本発明は、データを受信する側が、複数のユーザや端末があっても、送信側が容易に的確なユーザ及び端末に所定のデータを送信することが可能なデータ送信装置、データ送信方法及び、データ送信装置用プログラムを提供することを目的とする。
【課題を解決するための手段】
【０００８】
本発明では、以下のような解決手段を提供する。
【０００９】
第１の特徴に係る発明は、ユーザＩＤに対応付けられたユーザアイコンを送信側端末に表示するために出力するユーザアイコン出力手段と、
送信者がデータを送信するために、前記ユーザアイコンに対して、所定のデータを対応付けたことに応じて、当該指定を受けたユーザアイコンのユーザＩＤに対応する端末に、送信者が指定した所定のデータを送信するデータ送信手段と、を備えるデータ送信装置を提供する。
【００１０】
第１の特徴に係る発明によれば、ユーザＩＤに対応付けられたユーザアイコンを送信側端末に表示するために出力し、送信者がデータを送信するために、ユーザアイコンに対して、所定のデータを対応付けたことに応じて、当該指定を受けたユーザアイコンのユーザＩＤに対応する端末に、送信者が指定した所定のデータを送信する。
【００１１】
ここで、第１の特徴に係る発明は、装置のカテゴリであるが、方法又はプログラム等の他のカテゴリにおいても、そのカテゴリに応じた同様の作用・効果を発揮する。
【００１２】
第２の特徴に係る発明は、第１の特徴に係る発明であって、ユーザが所有する端末に関する端末データ及び端末固有のアドレスを、ユーザＩＤと対応付けて記憶する端末データ記憶手段と、
記憶された端末データに基づいて、当該端末データが示す端末アイコンを、前記ユーザアイコンと対応付けて表示するために出力する端末アイコン出力部と、
送信者が所定のデータを送信するために、前記ユーザアイコン及び前記端末アイコンに対して、指定を受け付けたことに応じて、当該指定を受け付けた端末アイコンに対応する端末に、送信者が指定した所定のデータを前記アドレスに基づいて送信するデータ送信手段と、を備えるデータ送信装置を提供する。
【００１３】
第２の特徴に係る発明によれば、第２の特徴に係る発明であって、ユーザが所有する端末に関する端末データ及び端末固有のアドレスを、ユーザＩＤと対応付けて記憶し、
記憶された端末データに基づいて、当該端末データが示す端末アイコンを、前記ユーザアイコンと対応付けて表示するために出力し、
送信者が所定のデータを送信するために、前記ユーザアイコン及び前記端末アイコンに対して、指定を受け付けたことに応じて、当該指定を受け付けた端末アイコンに対応する端末に、送信者が指定した所定のデータを前記アドレスに基づいて送信する。
【００１４】
第３の特徴に係る発明によれば、第１の特徴に係る発明であって、前記データ送信装置から受信するデータを、どの受信側ユーザ端末で受信するかの設定を受け付け、記憶する受信データ設定受付手段と、
前記データ送信手段が、所定のデータを送信する際に、予め記憶された受信側ユーザ端末に所定のデータを送信するデータ送信装置を提供する。
【００１５】
第３の特徴に係る発明は、第１の特徴に係る発明であって、前記データ送信装置から受信するデータを、どの受信側ユーザ端末で受信するかの設定を受け付け、記憶し、前記データ送信手段が、所定のデータを送信する際に、予め記憶された受信側ユーザ端末に所定のデータを送信する。
【発明の効果】
【００１６】
本発明によれば、データを受信する側が、複数のユーザや端末があっても、送信側が容易に的確なユーザ及び端末に所定のデータを送信することが可能なデータ送信装置、データ送信方法及び、データ送信装置用プログラムを提供することが可能となる。
【図面の簡単な説明】
【００１７】
【図１】図１は、データ送信システム１の全体構成図である。
【図２】図２は、送信側ユーザ端末５０、データ送信装置１００、受信側ユーザ端末１０の機能ブロック図である。
【図３】図３は、送信側ユーザ端末５０、データ送信装置１００、受信側ユーザ端末１０が実行するデータ送信処理を示すフローチャートである。
【図４】図４は、送信側ユーザ端末５０が、送信対象となるユーザを示す複数のユーザアイコンを表示した際の画面イメージ図である。
【図５】図５は、ユーザアイコンに送信者が送信データを対応付けることを示す画面イメージ図である。
【図６】図６は、ユーザアイコンに表示された端末アイコンに、送信者が送信データを対応付けることを示す画面イメージ図である。
【図７】図７は、送信側ユーザ端末５０に記憶される送信先設定データテーブル１である。
【図８】図８は、送信側ユーザ端末５０に記憶される送信先設定データテーブル２である。
【発明を実施するための形態】
【００１８】
以下、本発明を実施するための最良の形態について図を参照しながら説明する。なお、これはあくまでも一例であって、本発明の技術的範囲はこれに限られるものではない。
【００１９】
［データ送信システム１のシステム構成］
図１は、本発明の好適な実施形態であるデータ送信システム１のシステム構成図である。データ送信システム１は、送信側ユーザ端末５０、データ送信装置１００、受信側ユーザ端末１０、１１、公衆回線網５（インターネット網、第４世代通信網等）から構成される。
【００２０】
送信側ユーザ端末５０は、公衆回線網５を介してデータ送信装置１００と通信可能に接続されている。また、受信側ユーザ端末１０は、公衆回線網５を介してデータ送信装置１００と通信可能に接続されている。ここで、送信側ユーザ端末５０と、受信側ユーザ端末１０とは、公衆回線網５を介して通信可能であって良い。
【００２１】
送信側ユーザ端末５０は、アプリケーションを実行する一般的な情報端末であって良く、後述する機能を備える情報機器や電化製品である。送信側ユーザ端末５０は、例えば、サーバと通信可能なコンピュータ端末、ウェアラブル端末、携帯電話、スマートフォン、複合型プリンタ、テレビ、ルータ又はゲートウェイ等のネットワーク機器、コンピュータに加えて、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の一般的な情報家電であって良い。
【００２２】
また、受信側ユーザ端末１０、１１は、送信側ユーザ端末５０と同様に、ユーザが携帯できるコンピュータ端末であって、サーバと通信可能な携帯用のコンピュータ端末、ウェアラブル端末、携帯電話、スマートフォン、ネットブック端末、スレート端末、電子書籍端末、電子辞書端末、携帯型音楽プレーヤ、携帯型コンテンツ再生・録画プレーヤ等の一般的な情報家電であって良い。所定のアプリケーション（ユーザＩＤの認証のための入力受付けが可能）が実行可能であったり、ブラウザ機能を有して良い。
【００２３】
図１に示すように、受信側ユーザ端末１０、１１は、ユーザ毎に所有する端末が異なるため様々な態様の端末が存在する。すなわち、ユーザＩＤ「Steve」は、受信側ユーザ端末１０として、ウェアラブルグラス型端末１０a、ウェアラブル胸ベルト型端末１０ｂ、ウェラブルシューズ型端末１０ｃ、スマートフォン１０ｄ、ウェアラブルウォッチ型端末１０eを携帯する。また、ユーザID「Paul」は、受信側ユーザ端末１１として、ウェアラブル胸ベルト型端末１１ａ、ウェアラブルウォッチ型端末１１ｂ、ウェラブルハンドリスト型端末１１ｃを携帯する。以降の説明では、受信側ユーザ端末１１を省略し、受信側ユーザ端末１０のみを用いて説明する。
【００２４】
データ送信装置１００は、通常のＷｅｂサーバであってよく、本システムがウェブサーバと送信側ユーザ端末５０が有するブラウザによって実現されてよい。データ送信装置１００の機能は、送信側ユーザ端末５０の指定に応じて、どのユーザの、どのユーザ端末に送信データを送信するかを判断し、実際に送信を実行するサーバである。例えば、ユーザＩＤ「Steve」や「Paul」に所定のデータを送信する際に、ユーザＩＤ「Steve」や「Paul」の、どの端末に送信するかを判断して送信する。また、データ送信装置１００は、ユーザＩＤの認証機能を有していても良い。
【００２５】
［各機能の説明］
図２は、データ送信装置１００、送信側ユーザ端末５０及び受信側ユーザ端末１０の機能ブロック図と各機能の関係を示す図である。
【００２６】
データ送信装置１００は、制御部１２０として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１４０として、例えば、ＩＥＥＥ８０２．１１に準拠したＷｉＦｉ（Ｗｉｒｅｌｅｓｓ  Ｆｉｄｅｌｉｔｙ）対応デバイス又は、第３世代移動通信システム等のＩＭＴ−２０００規格に準拠した無線デバイス等を備える（有線によるＬＡＮ接続であってもよい）。また、記憶部１３０として、例えば、ハードディスク、半導体メモリ等を備える。
【００２７】
データ送信装置１００には、予めユーザＩＤと、そのユーザＩＤが携帯する受信側ユーザ端末１０に関する端末データ及び、その端末のアドレスに固有の端末専用受信アドレスが記憶されている。これらは、図７，図８に示すような送信先設定データテーブルとして、端末データ記憶モジュール１３１により記憶部１３０に記憶されている。ここで、端末データとは、端末種別、端末のアイコンに関する情報を含む。
【００２８】
端末専用受信アドレスとは、各端末固有の送信先を識別するアドレスであって、各受信側ユーザ端末１０にインストールされたアプリケーションに固有に設けられたアドレスであって良い。すなわち、端末専用受信アドレスに指定されたアドレスに対応する端末にしか、送信データは送信されない。
【００２９】
データ送信装置１００において、制御部１２０が所定のプログラムを読み込むことで、記憶部１３０と協働して、端末データ記憶モジュール１３１を実現する。さらに、制御部１２０が所定のプログラムを読み込むことで、通信部１４０と協働して、ユーザアイコン出力モジュール１３３、端末アイコン出力モジュール１３４、アイコン指定受信モジュール１３５、データ送信モジュール１３６を実現する。
【００３０】
送信側ユーザ端末５０は、制御部２０として、ＣＰＵ、ＲＡＭ、ＲＯＭ等を備え、通信部３０として、例えば、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００３１】
また、送信側ユーザ端末５０は、記憶部として、ハードディスクや半導体メモリによる、データのストレージ部を備える。さらに、送信側ユーザ端末５０は、入出力部４０として、制御部２０で制御したデータや画像を出力する表示部を備え、かつ、ユーザから入力を受け付けるタッチパネルやキーボード、マウス等を備える。
【００３２】
送信側ユーザ端末５０において、制御部２０が所定のプログラムを読み込むことで、入出力部４０と協働して、アイコン表示モジュール５３、アイコン指定受付モジュール５４を実現する。
【００３３】
受信側ユーザ端末１０は、送信側ユーザ端末５０と同様に、制御部１２として、ＣＰＵ、ＲＡＭ、ＲＯＭ等を備え、通信部１４として、例えば、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００３４】
また、受信側ユーザ端末１０は、記憶部として、ハードディスクや半導体メモリによる、データのストレージ部を備える。さらに、受信側ユーザ端末１０は、入出力部１３として、制御部１２で制御したデータや画像を出力する表示部を備え、かつ、ユーザから入力を受け付けるタッチパネルやキーボード、マウス等を備える。
【００３５】
受信側ユーザ端末１０において、制御部１２が所定のプログラムを読み込むことで、通信部１４と協働して、データ受信モジュール１８を実現する。
【００３６】
［データ送信処理］
図３は、データ送信装置１００、送信側ユーザ端末５０及び受信側ユーザ端末１０が実行するデータ送信処理のフローチャートである。上述した各装置のモジュールが実行する処理について、本処理に併せて説明する。なお、受信側ユーザ端末１０は、一例として挙げてあるものであり、受信側ユーザ端末１１が受信してもよいし、複数の受信側ユーザ端末がデータを受信してもよい。
【００３７】
前提として、送信側ユーザ端末５０は、図４に示すように、ユーザアイコン２００ａ〜ｄを表示して、送信者が所望する送信データと、データ送信先となるユーザアイコンへの指定を受け付ける。例えば、ユーザアイコン２００ｄは、ユーザＩＤ「Steve」のユーザアイコンである。図４は、送信側ユーザ端末５０に表示される画面ウィンドウであって、ブラウザ等のプログラムによって、実現されて良く、例えば、地図データや名簿データを背景画像として、これらのデータの位置に対応させて、各ユーザＩＤに対応するユーザが、ユーザアイコン２００として表示されてよい。
【００３８】
例えば、通常のＷｅｂサーバが実現するように、データ送信装置１００のユーザアイコン出力モジュール１３３は、ユーザＩＤに対応するユーザアイコン２００に関するデータを出力（送信）し、送信側ユーザ端末５０のアイコン表示モジュール５３がユーザアイコン２００を表示する。
【００３９】
次に、送信側ユーザ端末５０のアイコン指定受付モジュール５４が、送信者からの操作指定に応じて、送信するデータの指定を受付け（ステップＳ１３）、そして、送信するデータをドラッグする等により、送信先を指定するためのユーザアイコンへの対応付けを行う（ステップＳ１４）。これに応じて、指定されたデータとユーザアイコンで対応付けられたユーザＩＤをデータ送信装置１００に送信する（ステップＳ１５）。
【００４０】
ここで、ユーザアイコン２００の対応付けは、枠８に示すように、同時に２以上のユーザＩＤに対して指定しても良い。この場合は、２以上のユーザアイコン２００を枠８で送信者が指定することで、対応付けが行われる。
【００４１】
図５は、図４の画面ウィンドウにおいて、送信データ７のアイコンをポインタ６によるドラッグ指定によって、ユーザＩＤ「Steve」のユーザアイコン２００ｄと対応付けることを示す図である。このように、送信データ７のアイコンをユーザアイコン２００ｄに重ねることで、アイコン指定受付モジュール５４が対応付けを行う。
【００４２】
ここで、データ送信装置１００の端末アイコン出力モジュール１３４は、アイコン表示モジュール５３に、ユーザアイコン２００ｄとともに、図６に示すように、端末アイコン２１０ａ〜ｄを表示させてもよい。この場合は、ステップＳ１６が実行される。
【００４３】
図７は、ユーザＩＤ毎に所有する端末のアイコン、端末の端末専用受信アドレス、デフォルトの送信先が対応付けられた送信先設定データテーブルである。図７は、ユーザＩＤ「Steve」のデータテーブルである。このデータテーブルに基づいて、ユーザＩＤ「Steve」のユーザアイコン２００ｄの端末アイコン２０１ａ〜ｄを出力し、送信側ユーザ端末５０に表示する。
【００４４】
送信側ユーザ端末５０のアイコン指定受付モジュール５４は、送信者から端末アイコン２０１ａ〜ｄに対する端末の指定を受付ける（ステップＳ１６）。
【００４５】
図６は、図４の画面ウィンドウにおいて、送信データ７のアイコンをポインタ６によるドラッグ指定によって、ユーザＩＤ「Steve」のユーザアイコン２００ｄのうち所定の端末アイコン２１０ａ〜ｄと対応付けることを示す図である。この図の場合は、端末アイコン２１０ａ（ウェアラブルグラス型端末）と対応付けている。このように、送信データ７のアイコンを端末アイコン２１０ａに重ねることで、アイコン指定受付モジュール５４が端末との対応付けを行う。
【００４６】
この場合、アイコン指定受付モジュール５４は、指定された端末に関するデータをデータ送信装置１００に送信する。
【００４７】
次に、データ送信装置１００のアイコン指定受信モジュール１３５は、送信データの送信先となる端末を、受信したユーザＩＤと、送信先設定データテーブルを参照して特定する（ステップＳ１７）。例えば、ステップＳ１６が実行されていない場合は、ユーザＩＤを参照して、対応する送信先設定データテーブル１を参照して（図７の場合は、ユーザＩＤ「Steve」）、デフォルトの送信先は端末Ｂに設定されているため、端末Ｂと特定する。一方、ステップＳ１６が実行されている場合は、既に端末が特定されているため、ステップＳ１７は処理を行わない。
【００４８】
一方、送信データに応じて、送信先となる端末が異なっていても良い。図８の送信先設定データテーブル２が示すように、送信データが、文章データや画像データである場合は、端末Ａに、通知データである場合は、端末Ｃに送信する態様であっても良い。この場合は、例えば、ウェアラブルグラス型端末は、コンテンツの量が多い文章データや画像データを視認し、通知するのみであれば、ウェアラブルウォッチ型端末に出力するなどの使い分けをすることが可能である。また、所定の文章量であったり、画像データが所定のピクセル以上の場合は、ウェアラブルグラス型端末ではなく、スマートフォンに送信するといった設定も可能である。
【００４９】
送信先設定データテーブルが１又は２のいずれかであっても、アイコン指定受信モジュール１３５が、送信先設定データテーブルを参照して、特定された端末のアドレスを抽出（ステップＳ１８）し、データ送信モジュール１３６が、送信データを送信する（ステップＳ１９）。これに応じて、受信側ユーザ端末１０のデータ受信モジュール１８が送信データを受信して処理を行う（ステップＳ２０）。
【００５０】
また、上述の２以上のユーザアイコン２００が指定された場合には、２以上のユーザＩＤに対応する端末に送信データを送信する。上述の処理をユーザＩＤ毎に繰り返す。また、２以上の端末アイコン２１０を指定して、２以上の端末に対して、送信データを送信することも可能である。
【００５１】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５３】
１  データ送信システム、５  公衆回線網、１０  受信側ユーザ端末、５０  送信側ユーザ端末、１００  データ送信装置
【図１】
2016213751.tif 000003
【図２】
2016213751.tif 000004
【図３】
2016213751.tif 000005
【図４】
2016213751.tif 000006
【図５】
2016213751.tif 000007
【図６】
2016213751.tif 000008
【図７】
2016213751.tif 000009
【図８】
2016213751.tif 000010